(57)【要約】【課題】固定子と磁石支持部材との固定を毀損することなく界磁磁石を抜き出すことができる界磁子を提供する。【解決手段】界磁磁石部２０は磁石格納部１２において外周側へと同じ極性の磁極面を向けつつ配置方向Ｄ２で並んで格納される複数の磁石２０１〜２０３を備えている。磁石支持部材３０は、少なくとも、磁石２０１〜２０３の各々のうち、隣り合う磁石によって磁気的な反発力が軸方向Ｄ１の他方側へと作用する磁石以外の磁石に対して、軸方向Ｄ１について一方側で対向するストッパ部材３２１〜３２３と、磁石２０１〜２０３のうち配置方向Ｄ２の一方の端に位置する磁石２０１が反発力に抗う方向に所定量、移動した状態で磁石２０１が軸方向Ｄ１で挿通可能に設けられた磁石挿通孔３４を有し、ストッパ部材３２１〜３２３と連結されて界磁子コア１０と固定される連結部材３６とを備える。【選択図】図１２
2010284062.tif 000002
【特許請求の範囲】
【請求項１】
所定の軸(P)の周りで環状に配置される複数の磁石格納部(12)を有する界磁子コア(10)と、
前記複数の磁石格納部にそれぞれ格納される複数の界磁磁石部(20)と、
前記界磁子コアに対して前記軸に沿う軸方向(D1)の一方側に設けられる磁石支持部材(30)と
を備え、
一の前記複数の界磁磁石部は、一の前記複数の磁石格納部において、前記軸とは反対側へと同じ極性の磁極面を向けつつ前記軸に垂直な配置方向(D2)で並んで格納される複数の磁石(201〜204)を備え、
前記磁石支持部材(30)は、
少なくとも、前記複数の磁石の各々のうち、隣り合う前記磁石によって磁気的な反発力が前記軸方向(D1)の他方側へと作用する磁石以外の磁石に対して、前記軸方向(D1)について一方側で対向する少なくとも一つのストッパ部材（321〜323）と、
前記複数の磁石のうち前記配置方向の一方の端に位置する第１磁石(201)が前記反発力に抗う方向に所定量、移動した状態で前記第１磁石が前記軸方向で挿通可能に設けられた磁石挿通孔(34)を有し、前記少なくとも一つのストッパ部材と連結されて前記界磁子コアと固定される連結部材(36)と
を備える、界磁子。
【請求項２】
前記第１磁石(201)には、前記複数の磁石のうち前記第１磁石に隣り合う磁石によって、前記反発力が前記軸方向(D1)及び前記第１磁石における前記配置方向(D2)のいずれにも垂直な垂直方向の一方側に作用する、請求項１に記載の界磁子。
【請求項３】
前記少なくとも一つのストッパ部材(321〜323)のうち、前記第１磁石(201)に対するストッパ部材(321)は、前記垂直方向の前記一方側のみに設けられる、請求項２に記載の界磁子。
【請求項４】
前記少なくとも一つのストッパ部材(321〜323)は非磁性である、請求項１乃至３の何れか一つに記載の界磁子。
【請求項５】
前記少なくとも一つのストッパ部材(321〜323)は、自身に対応する前記磁石における前記配置方向(D2)及び前記軸方向(D1)のいずれにも垂直な垂直方向(D3)における一方側のみで対向する、請求項１，４の何れか一つに記載の界磁子。
【請求項６】
前記界磁子は前記軸(P)の周りで回転する回転子であって、前記垂直方向(D3)における前記一方側とは前記軸と反対側である、請求項５に記載の界磁子。
【請求項７】
前記少なくとも一つのストッパ部材(321〜323)は、自身に対応する前記磁石における前記垂直方向の長さよりも、自身に対応する前記磁石における前記配置方向(D2)の長さが短い薄肉形状を有している、請求項１乃至４の何れか一つに記載の界磁子。
【請求項８】
前記少なくとも一つのストッパ部材(321〜323)は、自身に対応する前記磁石における前記垂直方向(D3)の両側で前記連結部材(36)と連結される、請求項７に記載の界磁子。
【請求項９】
前記少なくとも一つのストッパ部材(321)は少なくとも２面で前記連結部材(36)と連結され、
前記２面の法線方向はいずれも前記軸方向(D1)に垂直であってかつ相互に異なる、請求項１乃至８の何れか一つに記載の界磁子。
【請求項１０】
前記第１磁石(201)は前記配置方向(D2)の一方側へと向かうに従って前記配置方向及び前記軸方向(D1)に対して垂直な方向（D3）の寸法が小さくなる傾斜形状を有し、
前記一の前記複数の磁石格納部(12)は前記第１磁石が格納される位置で前記傾斜形状に沿った傾斜形状を有している、請求項１乃至９の何れか一つに記載の界磁子。
【請求項１１】
一の前記複数の磁石格納部(12)は一つの孔である、請求項１乃至１０のいずれか一つに記載の界磁子。
【請求項１２】
一の前記複数の磁石格納部(12)は、前記複数の磁石がそれぞれ分配されて格納され、互いに分離された複数の孔を有する、請求項１乃至１０の何れか一つに記載の界磁子。
【請求項１３】
前記複数の磁石は２つの磁石(201,202)である、請求項１乃至１２の何れか一つに記載の界磁子。
【請求項１４】
一の前記複数の磁石(202)には、前記軸方向(D1)の他方側へと前記反発力が作用し、前記一の前記複数の磁石に対しては前記ストッパ部材が設けられない、請求項１乃至１３の何れか一つに記載の界磁子。
【請求項１５】
一の前記複数の磁石格納部(12)に格納された前記複数の磁石(201〜203)のいずれについても、その前記軸方向(D1)に垂直な断面の輪郭が、前記一の前記複数の磁石格納部に対応する前記磁石挿通孔(34)の前記軸方向に垂直な断面の輪郭よりも小さい、請求項１乃至１４の何れか一つに記載の界磁子。
【請求項１６】
前記複数の磁石(201〜204)のうち、前記軸方向(D1)の一方側へと前記反発力が作用する磁石以外の磁石に対して、前記軸方向の他方側から対向する少なくとも一つの他方側ストッパ部材(422,423)と、
前記複数の磁石のうち前記配置方向(D2)の一方又は他方の端に位置する磁石が前記反発力に抗う方向に所定量、移動した状態で、当該磁石が前記軸方向で挿通可能に設けられた他方側磁石挿通孔(44)を有し、前記少なくとも一つの他方側ストッパ部材と連結されて前記界磁子コアと固定される他方側連結部材(46)と
を備える他方側磁石支持部材(40)
を備える、請求項１乃至１５の何れか一つに記載の界磁子。
【請求項１７】
前記複数の磁石の少なくとも一つ(203)には前記軸方向(D1)の他方側へと前記反発力が作用し、前記複数の磁石の少なくとも一つに対しては前記ストッパ部材が設けられず、
前記複数の磁石の他の少なくとも一つ(201,204)は、前記軸方向(D1)の一方側へと前記反発力が作用し、前記複数の磁石の他の少なくとも一つに対しては前記他方側ストッパ部材が設けられない、請求項１６に記載の界磁子。
【請求項１８】
一の前記複数の磁石格納部(12)に格納された前記複数の磁石(201〜203)のいずれについても、その前記軸方向(D1)に垂直な断面の輪郭が、前記一の前記複数の磁石格納部に対応する前記磁石挿通孔の前記軸方向に垂直な断面の輪郭若しくは前記一の前記複数の磁石格納部に対応する前記他方側磁石挿通孔の前記軸方向に垂直な断面の輪郭よりも小さい、請求項１４又は１５記載の界磁子。
【請求項１９】
所定の軸(P)の周りで環状に配置される複数の磁石格納部(12)を有する界磁子コア(10)と、
前記複数の磁石格納部にそれぞれ格納される複数の界磁磁石部(20)と
前記界磁子コアに対して前記軸に沿う軸方向(D1)の一方側に設けられる磁石支持部材(30)と
を備え、
一の前記複数の界磁磁石部は、一の前記複数の磁石格納部において、前記軸とは反対側へと同じ極性の磁極面を向けつつ前記軸に垂直な配置方向(D2)で並んで格納される複数の磁石(201〜204)を備え、
前記複数の磁石の各々は前記配置方向(D2)における両側で一対の端面(201a,201b)を有し、
前記磁石支持部材(30)は、
少なくとも、前記複数の磁石の各々のうち、隣り合う前記磁石によって磁気的な反発力が前記軸方向の他方側へと作用する磁石以外の磁石に対して、前記軸方向について一方側で対向する少なくとも一つのストッパ部材（321〜323）と、
前記複数の磁石のうち前記配置方向(D2)の一方の端に位置する第１磁石(201)が前記反発力に抗う方向へと所定量、移動した状態で前記第１磁石が記軸方向で挿通可能に設けられた磁石挿通孔(34)を有し、前記少なくとも一つのストッパ部材と連結されて前記界磁子コアと固定される連結部材(36)と
を備える、界磁子の製造方法であって、
前記磁石支持部材と前記界磁子コアとを固定する第１工程（S1）と、
着磁してそれぞれ前記複数の磁石となる複数の硬磁性体を、前記界磁子としての磁力よりも低い磁力を発揮するように仮着磁する第２工程（S2）と、
前記第１及び第２工程の実行後に仮着磁された複数の硬磁性体を前記磁石挿通孔から磁石格納部へと配置する第３工程（S3）と
を実行する、界磁子の製造方法。
【発明の詳細な説明】
【技術分野】
【０００１】
本発明は界磁子及び界磁子の製造方法に関し、特に界磁磁石を再利用可能な界磁子に関する。
【背景技術】
【０００２】
特許文献１には回転子が記載されている。かかる回転子はラジアルギャップ型の回転子である。回転子は回転子コアと永久磁石と端板とを備えている。永久磁石は回転子コアに格納されている。端板は軸方向の両側から回転子コアに固定されている。端板はリベットを用いて固定されている。端板を設けることで永久磁石が回転子コアから抜け出すことを防止している。
【０００３】
なお本発明に関連する技術として特許文献２，３が開示されている。
【先行技術文献】
【特許文献】
【０００４】
【特許文献１】特開２００７−１８１２５４号公報
【特許文献２】特開２００７−１７４７７６号公報
【特許文献３】特開２００７−１７４８２２号公報
【発明の概要】
【発明が解決しようとする課題】
【０００５】
しかしながら、特許文献１に記載の技術では、永久磁石を回転子から取り出してこれを再利用する場合、端板と固定子コアとの間の固定を取り除いてから永久磁石を取り出す必要があった。特に端板と固定子コアとの固定が強固なリベットを用いている場合では、固定を取り除くことが困難である。
【０００６】
なお永久磁石として希土類磁石を採用した場合には、その希少価値により永久磁石の再利用が望まれている。特に減磁を抑制するために用いられる重希土類はその稀少価値が非常に高く、今後更なる要求が高まる可能性がある。
【０００７】
そこで、磁石以外の界磁子の構成要素を毀損することなく界磁磁石を取り出すことができる界磁子を提供することを目的とする。
【課題を解決するための手段】
【０００８】
本発明にかかる界磁子の第１の態様は、所定の軸(P)の周りで環状に配置される複数の磁石格納部(12)を有する界磁子コア(10)と、前記複数の磁石格納部にそれぞれ格納される複数の界磁磁石部(20)と、前記界磁子コアに対して前記軸に沿う軸方向(D1)の一方側に設けられる磁石支持部材(30)とを備え、一の前記複数の界磁磁石部は、一の前記複数の磁石格納部において、前記軸とは反対側へと同じ極性の磁極面を向けつつ前記軸に垂直な配置方向(D2)で並んで格納される複数の磁石(201〜204)を備え、前記磁石支持部材(30)は、少なくとも、前記複数の磁石の各々のうち、隣り合う前記磁石によって磁気的な反発力が前記軸方向(D1)の他方側へと作用する磁石以外の磁石に対して、前記軸方向(D1)について一方側で対向する少なくとも一つのストッパ部材（321〜323）と、前記複数の磁石のうち前記配置方向の一方の端に位置する第１磁石(201)が前記反発力に抗う方向に所定量、移動した状態で前記第１磁石が前記軸方向で挿通可能に設けられた磁石挿通孔(34)を有し、前記少なくとも一つのストッパ部材と連結されて前記界磁子コアと固定される連結部材(36)とを備える。
【０００９】
本発明にかかる界磁子の第２の態様は、第１の態様にかかる界磁子であって、前記第１磁石(201)には、前記複数の磁石のうち前記第１磁石に隣り合う磁石によって、前記反発力が前記軸方向(D1)及び前記第１磁石における前記配置方向(D2)のいずれにも垂直な垂直方向の一方側に作用する。
【００１０】
本発明にかかる界磁子の第３の態様は、第２の態様にかかる界磁子であって、前記少なくとも一つのストッパ部材(321〜323)のうち、前記第１磁石(201)に対するストッパ部材(321)は、前記垂直方向の前記一方側のみに設けられる。
【００１１】
本発明にかかる界磁子の第４の態様は、第１乃至第３の何れか一つの態様にかかる界磁子であって、前記少なくとも一つのストッパ部材(321〜323)は非磁性である。
【００１２】
本発明にかかる界磁子の第５の態様は、第１，第４の何れか一つの態様にかかる界磁子であって、前記少なくとも一つのストッパ部材(321〜323)は、自身に対応する前記磁石における前記配置方向(D2)及び前記軸方向(D1)のいずれにも垂直な垂直方向(D3)における一方側のみで対向する。
【００１３】
本発明にかかる界磁子の第６の態様は、第５の態様にかかる界磁子であって、前記界磁子は前記軸(P)の周りで回転する回転子であって、前記垂直方向(D3)における前記一方側とは前記軸と反対側である。
【００１４】
本発明にかかる界磁子の第７の態様は、第１乃至第４の何れか一つの態様にかかる界磁子であって、前記少なくとも一つのストッパ部材(321〜323)は、自身に対応する前記磁石における前記垂直方向の長さよりも、自身に対応する前記磁石における前記配置方向(D2)の長さが短い薄肉形状を有している。
【００１５】
本発明にかかる界磁子の第８の態様は、第７の態様にかかる界磁子であって、前記少なくとも一つのストッパ部材(321〜323)は、自身に対応する前記磁石における前記垂直方向(D3)の両側で前記連結部材(36)と連結される。
【００１６】
本発明にかかる界磁子の第９の態様は、第１乃至第８の何れか一つの態様にかかる界磁子であって、前記少なくとも一つのストッパ部材(321)は少なくとも２面で前記連結部材(36)と連結され、前記２面の法線方向はいずれも前記軸方向(D1)に垂直であってかつ相互に異なる。
【００１７】
本発明にかかる界磁子の第１０の態様は、第１乃至第９の何れか一つの態様にかかる界磁子であって、前記第１磁石(201)は前記配置方向(D2)の一方側へと向かうに従って前記配置方向及び前記軸方向(D1)に対して垂直な方向（D3）の寸法が小さくなる傾斜形状を有し、前記一の前記複数の磁石格納部(12)は前記第１磁石が格納される位置で前記傾斜形状に沿った傾斜形状を有している。
【００１８】
本発明にかかる界磁子の第１１の態様は、第１乃至第１０のいずれか一つの態様にかかる界磁子であって、一の前記複数の磁石格納部(12)は一つの孔である。
【００１９】
本発明にかかる界磁子の第１２の態様は、第１乃至第１０の何れか一つの態様にかかる界磁子であって、一の前記複数の磁石格納部(12)は、前記複数の磁石がそれぞれ分配されて格納され、互いに分離された複数の孔を有する。
【００２０】
本発明にかかる界磁子の第１３の態様は、第１乃至第１２の何れか一つの態様にかかる界磁子であって、前記複数の磁石は２つの磁石(201,202)である。
【００２１】
本発明にかかる界磁子の第１４の態様は、第１乃至第１３の何れか一つの態様にかかる界磁子であって、一の前記複数の磁石(202)には、前記軸方向(D1)の他方側へと前記反発力が作用し、前記一の前記複数の磁石に対しては前記ストッパ部材が設けられない。
【００２２】
本発明にかかる界磁子の第１５の態様は、第１乃至第１４の何れか一つの態様にかかる界磁子であって、一の前記複数の磁石格納部(12)に格納された前記複数の磁石(201〜203)のいずれについても、その前記軸方向(D1)に垂直な断面の輪郭が、前記一の前記複数の磁石格納部に対応する前記磁石挿通孔(34)の前記軸方向に垂直な断面の輪郭よりも小さい。
【００２３】
本発明にかかる界磁子の第１６の態様は、第１乃至第１５の何れか一つの態様にかかる界磁子であって、前記複数の磁石(201〜204)のうち、前記軸方向(D1)の一方側へと前記反発力が作用する磁石以外の磁石に対して、前記軸方向の他方側から対向する少なくとも一つの他方側ストッパ部材(422,423)と、前記複数の磁石のうち前記配置方向(D2)の一方又は他方の端に位置する磁石が前記反発力に抗う方向に所定量、移動した状態で、当該磁石が前記軸方向で挿通可能に設けられた他方側磁石挿通孔(44)を有し、前記少なくとも一つの他方側ストッパ部材と連結されて前記界磁子コアと固定される他方側連結部材(46)とを備える他方側磁石支持部材(40)を備える。
【００２４】
本発明にかかる界磁子の第１７の態様は、第１６の態様にかかる界磁子であって、前記複数の磁石の少なくとも一つ(203)には前記軸方向(D1)の他方側へと前記反発力が作用し、前記複数の磁石の少なくとも一つに対しては前記ストッパ部材が設けられず、前記複数の磁石の他の少なくとも一つ(201,204)は、前記軸方向(D1)の一方側へと前記反発力が作用し、前記複数の磁石の他の少なくとも一つに対しては前記他方側ストッパ部材が設けられない。
【００２５】
本発明にかかる界磁子の第１８の態様は、第１４又は第１５の態様にかかる界磁子であって、一の前記複数の磁石格納部(12)に格納された前記複数の磁石(201〜203)のいずれについても、その前記軸方向(D1)に垂直な断面の輪郭が、前記一の前記複数の磁石格納部に対応する前記磁石挿通孔の前記軸方向に垂直な断面の輪郭若しくは前記一の前記複数の磁石格納部に対応する前記他方側磁石挿通孔の前記軸方向に垂直な断面の輪郭よりも小さい。
【００２６】
本発明にかかる界磁子の製造方法の第１の態様は、所定の軸(P)の周りで環状に配置される複数の磁石格納部(12)を有する界磁子コア(10)と、前記複数の磁石格納部にそれぞれ格納される複数の界磁磁石部(20)と、前記界磁子コアに対して前記軸に沿う軸方向(D1)の一方側に設けられる磁石支持部材(30)とを備え、一の前記複数の界磁磁石部は、一の前記複数の磁石格納部において、前記軸とは反対側へと同じ極性の磁極面を向けつつ前記軸に垂直な配置方向(D2)で並んで格納される複数の磁石(201〜204)を備え、前記複数の磁石の各々は前記配置方向(D2)における両側で一対の端面(201a,201b)を有し、前記磁石支持部材(30)は、少なくとも、前記複数の磁石の各々のうち、隣り合う前記磁石によって磁気的な反発力が前記軸方向の他方側へと作用する磁石以外の磁石に対して、前記軸方向について一方側で対向する少なくとも一つのストッパ部材（321〜323）と、前記複数の磁石のうち前記配置方向(D2)の一方の端に位置する第１磁石(201)が前記反発力に抗う方向へと所定量、移動した状態で前記第１磁石が記軸方向で挿通可能に設けられた磁石挿通孔(34)を有し、前記少なくとも一つのストッパ部材と連結されて前記界磁子コアと固定される連結部材(36)とを備える、界磁子の製造方法であって、前記磁石支持部材と前記界磁子コアとを固定する第１工程（S1）と、着磁してそれぞれ前記複数の磁石となる複数の硬磁性体を、前記界磁子としての磁力よりも低い磁力を発揮するように仮着磁する第２工程（S2）と、前記第１及び第２工程の実行後に仮着磁された複数の硬磁性体を前記磁石挿通孔から磁石格納部へと配置する第３工程（S3）とを実行する。
【発明の効果】
【００２７】
本発明にかかる界磁子の第１の態様によれば、軸方向の他方側に反発力が作用されない磁石についてはストッパ部材が設けられるので、これらの磁石が軸方向の一方側から抜け出すことを防止できる。軸方向の他方側に反発力が作用する磁石については、当該反発力によって軸方向の一方側から抜け出すことを防止できる。
【００２８】
磁石挿通孔は、第１磁石が所定量移動した状態で、軸方向で挿通可能に設けられている。第１磁石は隣り合う磁石によって配置方向の一方側へと反発力が作用するので、界磁子としては第１磁石が磁石挿通孔から抜け出すこともない。
【００２９】
よって、複数の界磁磁石について軸方向の一方側から抜け出すことを防止できる。
【００３０】
また例えば磁石を脱磁した上で、脱磁後の第１磁石を配置方向の他方側へと所定量、移動させ、磁石挿通孔を介して脱磁後の第１磁石を抜き出すことができる。よって、磁石が軸方向の一方側から抜け出すことを防止しつつも、磁石以外の界磁子の構成要素を壊すことなく脱磁後の第１磁石を抜き出すことができる。そして、この脱磁後の第１磁石を着磁することで再び磁石として利用することができる。
【００３１】
本発明にかかる界磁子の第２の態様によれば、第１磁石について、垂直方向におけるガタを抑制できる。
【００３２】
本発明にかかる界磁子の第３の態様によれば、反発力によって第１磁石が付勢される側のみにストッパ部材を設けているので、部材の使用量を低減できる。
【００３３】
本発明にかかる界磁子の第４の態様によれば、磁石による軸とは反対側に呈する磁極面と、軸側に呈する磁極面とがストッパ部材によってそれぞれ構造的に連結されていたとしても、ストッパ部材によるこれらの磁極面同士の短絡を抑制できる。
【００３４】
本発明にかかる界磁子の第５の態様によれば、ストッパ部材は軸とは反対側に呈する磁極面と軸側に呈する磁極面とをそれぞれ構造的に連結しないので、ストッパ部材によるこれらの一対の磁極面同士の短絡を抑制できる。
【００３５】
本発明にかかる界磁子の第６の態様によれば、遠心力によって磁石が付勢される側のみにストッパ部材を設けることができる。よってストッパ部材の垂直方向における長さを低減でき、材料費を低減できる。
【００３６】
本発明にかかる界磁子の第７の態様によれば、ストッパ部材には垂直方向(D3)に磁束が通りにくい。よって、たとえ軸とは反対側に呈する磁極面と軸側に呈する磁極面とがストッパ部材によって構造的に連結されていたとしても、ストッパ部材によるこれらの磁極面同士の短絡を抑制できる。
【００３７】
本発明にかかる界磁子の第８の態様によれば、垂直方向の両側で連結部材と連結されるので、ストッパ部材の強度を向上できる。
【００３８】
本発明にかかる界磁子の第９の態様によれば、ストッパ部材の強度を向上できる。
【００３９】
本発明にかかる界磁子の第１０の態様によれば、第１磁石が配置方向の一方側へと付勢されることによって、この第１磁石と界磁子コアとを密着させることができる。よって第１磁石のがたつきを抑制することができる。
【００４０】
本発明にかかる界磁子の第１１の態様によれば、一の磁石格納部が複数の孔を有する場合に比べて界磁子コアに穿つ孔の数を低減できる。よって加工が容易である。
【００４１】
本発明にかかる界磁子の第１２の態様によれば、一の磁石格納部が一つの孔である場合に比べて、一つあたりの孔の大きさを低減できるので界磁子コアの強度を向上できる。
【００４２】
本発明にかかる界磁子の第１３の態様によれば、２つの磁石は配置方向の反対方向へと互いに磁力を及ぼすので、この２つの磁石は配置方向でがたつかない。
【００４３】
本発明にかかる界磁子の第１４の態様によれば、不要なストッパ部材を設けないことで、磁石支持部材に使用される材料の量を低減できる。
【００４４】
本発明にかかる界磁子の第１５の態様によれば、磁石挿通孔を介して脱磁した複数の磁石の全てを順次に取り出すことができる。
【００４５】
本発明にかかる界磁子の第１６の態様によれば、軸方向の両側において脱磁後の磁石を磁石格納部から抜き出すことができるので、作業性を向上できる。
【００４６】
本発明にかかる界磁子の第１７の態様によれば、不要なストッパ部材及び他方側ストッパ部材を設けないことで、磁石支持部材及び他方側磁石支持部材の材料費を低減できる。
【００４７】
本発明にかかる界磁子の第１８の態様によれば、磁石挿通孔若しくは他方側磁石挿通孔を介して複数の磁石の全てを順次に取り出すことができる。
【００４８】
本発明にかかる界磁子の第１９の態様によれば、仮着磁した硬磁性体は界磁コアと引力を作用する。よって、界磁子コアに対して磁石支持部材が下側に配置されたとしても、重力によって硬磁性体が磁石格納部から磁石挿通孔を介して抜け落ちることを抑制できる。
【図面の簡単な説明】
【００４９】
【図１】界磁子の概念的な構成を例示する斜視図である。
【図２】界磁子コアを通る断面における界磁子の概念的な構成を例示する図である。
【図３】界磁子コアを通る断面における界磁子の概念的な構成を例示する図である。
【図４】界磁子コアを通る断面における界磁子の概念的な構成を例示する図である。
【図５】軸方向に沿う断面における界磁子の概念的な構成を例示する図である。
【図６】界磁子の概念的な構成を例示する上面図である。
【図７】界磁磁石を取り出す様子を示す図である。
【図８】界磁磁石を取り出す様子を示す図である。
【図９】界磁子の概念的な構成を例示する上面図である。
【図１０】界磁子の概念的な構成を例示する上面図である。
【図１１】界磁子の概念的な構成を例示する上面図である。
【図１２】界磁子の概念的な構成を例示する斜視図である。
【図１３】界磁子の概念的な構成を例示する斜視図である。
【図１４】界磁子の概念的な構成を例示する上面図である。
【図１５】界磁子の概念的な構成を例示する上面図である。
【図１６】界磁子の概念的な構成を例示する上面図である。
【図１７】界磁子の概念的な構成を例示する上面図である。
【図１８】界磁子の概念的な構成を例示する上面図である。
【図１９】界磁子コアを通る断面における界磁子の概念的な構成を例示する図である。
【図２０】界磁子の概念的な構成を例示する上面図である。
【図２１】界磁子の概念的な構成を例示する斜視図である。
【図２２】界磁子の概念的な構成を例示する斜視図である。
【図２３】界磁子の概念的な構成を例示する上面図である。
【図２４】界磁子の概念的な構成を例示する上面図である。
【図２５】界磁子の概念的な構成を例示する上面図である。
【図２６】界磁子の概念的な構成を例示する上面図である。
【図２７】界磁子の概念的な構成を例示する上面図である。
【図２８】界磁子の概念的な構成を例示する上面図である。
【図２９】界磁子の概念的な構成を例示する上面図である。
【図３０】界磁子コアを通る断面における界磁子の概念的な構成を例示する図である。
【図３１】界磁子の概念的な構成を例示する上面図である。
【図３２】軸方向に沿う断面における界磁子の概念的な構成を例示する図である。
【図３３】界磁子の製造方法を示すフローチャートである。
【図３４】界磁子の概念的な構成を例示する上面図である。
【図３５】界磁子の概念的な構成を例示する上面図である。
【図３６】界磁子の概念的な構成を例示する上面図である。
【図３７】界磁磁石の概念的な構成を例示する図である。
【図３８】界磁磁石の概念的な構成を例示する図である。
【図３９】界磁磁石の概念的な構成を例示する図である。
【図４０】軸方向に沿う断面における界磁子の概念的な構成を例示する図である。
【図４１】軸方向に沿う断面における界磁子の概念的な構成を例示する図である。
【発明を実施するための形態】
【００５０】
第１の実施の形態．
＜界磁子の基本構成＞
図１，２に示すように、界磁子は、界磁子コア１０と複数の界磁磁石部２０と磁石支持部材３０，４０とを備えている。なお図１では、複数の界磁磁石部２０の１つのみが界磁子コア１０から飛び出して示され、磁石支持部材３０が回転軸Ｐに沿って界磁子コア１０と分離して示されている。実際には、界磁磁石部２０は界磁子コア１０の内部に格納され、磁石支持部材３０は界磁子コア１０に固定される。また図２では、一の磁石格納部１２に相当する部分のみが示されている。以下、回転軸Ｐに垂直な界磁子の断面図および回転軸Ｐに沿って見た界磁子の構成図においても同様に描画している。
【００５１】
界磁子コア１０は軟磁性体（例えば鉄）で形成され、例えば回転軸Ｐを中心とした略円柱状の形状を有している。界磁子コア１０には複数の磁石格納部１２が設けられている。複数の磁石格納部１２は回転軸Ｐの周りで環状に配置されている。図１の例示では、各磁石格納部１２は一つの孔によって構成され、４つの磁石格納部１２が示されている。
【００５２】
複数の磁石格納部１２にはそれぞれ複数の界磁磁石部２０が格納される。各界磁磁石部２０は複数の界磁磁石、例えば３つの界磁磁石２０１〜２０３を備えている。複数の界磁磁石２０１〜２０３は例えば希土類磁石（例えばネオジム、鉄、ホウ素を主成分とした希土類磁石）である。磁石の減磁耐性を向上すべく、重希土類（例えばジスプロシウム）を含有していてもよい。図１，２の例示では、界磁磁石２０１〜２０３はそれぞれ直方体の板状形状を有している。界磁磁石２０１〜２０３は、その厚み方向が、磁石格納部１２の周方向の中央における径方向に沿う姿勢で配置されている。
【００５３】
界磁磁石２０１〜２０３は磁石格納部１２の内部において回転軸Ｐに垂直な配置方向Ｄ２に沿って並んで格納される。図１，２の例示では、各磁石格納部１２の上記中央での回転軸Ｐを中心とした円の接線方向（＝配置方向Ｄ２）に、３つの界磁磁石２０１〜２０３が並んで配置されている。磁石格納部１２について言及すると、各磁石格納部１２はそれぞれ配置方向Ｄ２に平行な一対の表面１２ａ，１２ｂを有し、表面１２ａ，１２ｂの間で界磁磁石２０１〜２０３が並んで格納される。
【００５４】
一つの磁石格納部１２に格納される界磁磁石２０１〜２０３は、回転軸Ｐとは反対側（外周側）へと同じ極性の磁極面を呈している。これによって、一つの磁石格納部１２は一つの界磁磁極として機能する。そして一つの磁石格納部１２に格納される界磁磁石２０１〜２０３が外周側へと呈する磁極面の極性は、回転軸Ｐを中心とした周方向で隣り合う磁石格納部１２に格納される界磁磁石２０１〜２０３が外周側へと呈する磁極面の極性と互いに異なっている。
【００５５】
図１，２の例示では、磁石格納部１２は界磁磁石部２０の配置方向Ｄ２における両側から径方向に沿って外周へと延在する空隙１２１を有している。この空隙１２１は必須要件ではないものの、界磁磁石部２０の配置方向Ｄ２における両側にて、外周側へと呈する磁極面と内周側へと呈する磁極面との間で磁束が短絡することを抑制できる。
【００５６】
また図３に示すように、空隙１２１は磁石格納部１２と離間して設けられていてもよい。この場合、空隙１２１と磁石格納部１２との間に界磁子コア１０が介在するので界磁子コア１０の強度を向上できる。
【００５７】
なお界磁子コア１０は例えば回転軸Ｐに沿う軸方向Ｄ１において積層された電磁鋼板、または圧粉磁心によって構成されることが望ましい。これによって界磁子コア１０に生じる渦電流を低減できるからである。
【００５８】
界磁子コア１０が電磁鋼板で構成される場合には、複数の電磁鋼板の相互間の固定は任意の方法で実現されるが、例えば次のいずれかの方法で固定されるとよい。例えば軸方向Ｄ１における電磁鋼板の一対の表面にそれぞれ凹凸を設け、複数の電磁鋼板の間でこれらの凹凸を嵌合させて固定するとよい。かかる固定はいわゆるカラマセと呼ばれる。この凹凸は例えば周方向における磁石格納部１２同士の間に設けられるとよい。磁束の流れを阻害しにくいからである。かかる凹凸の位置が図１において符号５０で示されている。
【００５９】
また例えば界磁子コア１０の外周側あるいは内周側から電磁鋼板の相互間をレーザ溶接してもよい。また例えば電磁鋼板同士を接着により固定してもよい。かかる接着は、電着塗装により電磁鋼板の相互間を接着してもよく、ワニスを塗布して接着してもよく、表面に接着層が設けられた接着鋼板を用いて接着してもよい。
【００６０】
磁石支持部材３０，４０は軸方向Ｄ１において互いに反対側から界磁子コア１０に固定される。磁石支持部材３０，４０は界磁磁石部２０と軸方向Ｄ１で対向し、界磁磁石部２０が軸方向Ｄ１に沿って界磁子コア１０から抜け出すことを防止する。
【００６１】
このような界磁子に対して外周側から間隙を介して電機子（図示しない）を配置することで回転電機を構成できる。界磁子は界磁磁石部２０によって電機子へと界磁磁束を供給する。
【００６２】
このような界磁子において、界磁磁石２０１が磁石支持部材３０によって軸方向Ｄ１で支持されるのにも関わらず、磁石支持部材３０を介して界磁磁石２０１を界磁子コア１０から抜き出すことができる構成の例について以下に詳述する。
【００６３】
＜磁石格納部及び磁石支持部材＞
各磁石格納部１２は自身に格納される界磁磁石２０１〜２０３が配置方向Ｄ２で移動可能な形状を有している。かかる形状は格納される界磁磁石２０１〜２０３の形状及びその配置方向Ｄ２に応じて適宜に設計される。以下図１〜図３を例にとって具体的に説明する。
【００６４】
各磁石格納部１２の配置方向Ｄ２における長さは３つの界磁磁石２０１〜２０３の配置方向Ｄ２における長さの合計よりも長い。なお磁石格納部１２の配置方向Ｄ２における長さは例えば２つの端部１４によって規定される。２つの端部１４は界磁磁石部２０の配置方向Ｄ２における両側に位置している。端部１４は界磁子コア１０の一部を構成しつつ、磁石格納部１２の輪郭の一部を形成している。
【００６５】
図２の例示では、端部１４は磁石格納部１２のうち界磁磁石部２０が格納される部分と空隙１２１との間で段差を形成している。具体的には、端部１４は磁石格納部１２の内周側の表面１２ｂから、軸方向Ｄ１および配置方向Ｄ２に垂直な垂直方向Ｄ３に沿って外周側に突出して段差をなしている。
【００６６】
図３の例示では、端部１４は磁石格納部１２と空隙１２１との間に介在している。具体的には、端部１４は内周側の表面１２ｂから垂直方向Ｄ３に沿って延在して外周側の表面１２ａに至るブリッジ形状を有している。磁石格納部１２は端部１４と表面１２ａ，１２ｂによって形成されて例えば長尺状の形状を呈している。
【００６７】
また図４に示すように、端部１４は界磁磁石部２０が格納される部分と空隙１２１との境界における屈曲として把握される。
【００６８】
端部１４によって規定される磁石格納部１２の配置方向Ｄ２における長さは、界磁磁石２０１〜２０３の配置方向Ｄ２における長さの合計よりも長いので、３つの界磁磁石２０１〜２０３は磁石格納部１２の内部で配置方向Ｄ２に沿って移動可能である。なお端部１４は界磁磁石２０１〜２０３に対する配置方向Ｄ２のストッパとして機能し、界磁磁石２０１〜２０３の配置方向Ｄ２における移動を所定範囲に制限している。
【００６９】
界磁磁石２０１〜２０３は配置方向Ｄ２で移動可能であるものの、配置方向Ｄ２の両側に位置する界磁磁石２０１，２０３は磁石格納部１２の配置方向Ｄ２における両端で、その配置方向Ｄ２における位置が固定される。これは以下の理由に因る。磁石格納部１２の内部において、界磁磁石２０１〜２０３は外周側へと同じ極性の磁極面を向けて配置されている。よって、界磁磁石２０１〜２０３は互いに反発する磁力を及ぼし合う。よって配置方向Ｄ２の両側に位置する界磁磁石２０１，２０３は、それぞれ界磁磁石２０２とは反対側に付勢される。従って、界磁磁石２０１，２０３は、その配置方向Ｄ２における位置が端部１４によって支持される位置（即ち配置方向Ｄ２における両端）で固定される。
【００７０】
一方、２つの界磁磁石２０１，２０３の間に位置する界磁磁石２０２には、界磁磁石２０１，２０３によって配置方向Ｄ２の互いに反対の２方向に磁力が作用する。よって界磁磁石２０２は界磁磁石２０１，２０３の間で配置方向Ｄ２に沿って移動され得る。従って界磁磁石２０２の配置方向Ｄ２における位置は必ずしも固定されない。
【００７１】
各界磁磁石部２０は軸方向Ｄ１で互いに反対側から磁石支持部材３０，４０によって支持される。磁石支持部材３０，４０は例えばリベットやボルトを用いて界磁子コア１０と固定される、いわゆる端板であってもよい。また磁石支持部材３０，４０が界磁子コア１０と一体で形成されてもよく、界磁子コア１０が積層された電磁鋼板で構成される場合は、その一部を形成する電磁鋼板であってもよい。この場合、端板を不要にすることができ、ひいてはコストを低下でき、また端板の取り付け工程を削除できる。この点は以下で後述する第２および第３の実施の形態であっても同様である。
【００７２】
なお磁石支持部材３０，４０が電磁鋼板で構成される場合、磁石支持部材３０は１枚または複数枚の電磁鋼板で構成されるとよい。複数枚の電磁鋼板の相互間の固定は上述した電磁鋼板で構成された界磁子コア１０の固定を適用することができる。また磁石支持部材３０と界磁子コア１０との固定についても同様である。
【００７３】
界磁子コア１０を構成する電磁鋼板は、例えば所定の電磁鋼板に対して第１の金型（打ち抜き部材）を用いて磁石格納部２０を形成し、続けて第２の金型を用いて界磁子１０の内周を形成し、続けて第３の金型を用いて外周を形成することで製造される。このように形成された電磁鋼板の複数が順次に積層される。また磁石支持部材３０を構成する電磁鋼板については、第１の金型を第４の金型に取り替えて磁石挿通孔３４を形成し、続けて、第２及び第３の金型を用いてそれぞれ磁石支持部材３０の内周及び外周を形成することで製造することができる。したがって金型の一部を途中で変更することで連続的に打抜、積層が可能である。
【００７４】
磁石支持部材３０は例えば円盤状かつ板状の形状を有している。磁石支持部材３０は界磁子コア１０に対して軸方向Ｄ１の一方側から重ね合わせ状に取り付けられる。磁石支持部材３０については磁石支持部材４０の説明後に詳述する。
【００７５】
磁石支持部材４０は例えば円盤状かつ板状の形状を有している。磁石支持部材４０は界磁子コア１０に対して軸方向Ｄ１の他方側から重ね合わせ状に取り付けられる。かかる磁石支持部材４０は各磁石格納部１２を軸方向Ｄ１で覆う。よって、界磁磁石２０１〜２０３が磁石格納部１２の内部でどの位置に在っても、これらの界磁磁石２０１〜２０３を軸方向Ｄ１の他方側で支持できる。
【００７６】
磁石支持部材３０には、軸方向Ｄ１に垂直な断面における界磁磁石２０１の輪郭よりも大きい輪郭を有する磁石挿通孔３４が穿たれている。磁石挿通孔３４は磁石支持部材３０を軸方向で貫通し、磁石格納部１２と軸方向Ｄ１で連続する。図１の例示では、界磁磁石２０１の形状に合わせて長方形状の形状を有している。磁石支持部材３０は、磁石挿通孔３４が穿たれつつも、界磁磁石２０１が配置方向Ｄ２の一方の端に位置した状態で、界磁磁石２０１〜２０３をそれぞれ軸方向Ｄ１で支持することができる。以下、具体的に、磁石支持部材３０をいくつかの部材に分けて説明する。
【００７７】
図１，５〜７に示すように、磁石支持部材３０はストッパ部材３２１〜３２３と連結部材３６とを備えている。なお図６においては磁石挿通孔３４を太線で示している。磁石格納部１２との区別を明瞭にするためである。以下で説明する各図においても適宜に太線で示す。
【００７８】
ストッパ部材３２１は磁石格納部１２の内部で界磁磁石２０１が配置方向Ｄ２の一方側の端に位置する状態（即ち一方側の端部１４に接した状態）で、界磁磁石２０１と軸方向Ｄ１の一方側で対向する。換言すると、界磁磁石２０１が配置方向Ｄ２の一方側の端部１４から所定量、他方側へと移動した状態では、ストッパ部材３２１は界磁磁石２０１と軸方向Ｄ１で対向しない（図７参照）。
【００７９】
具体的な形状の一例について説明する。ここで図５に示すように、磁石格納部１２の配置方向Ｄ２における長さを長さＬ１２と、界磁磁石２０１〜２０３の配置方向Ｄ２における長さを長さＬ２０１〜Ｌ２０３と、それぞれ定義する。また磁石格納部１２の配置方向Ｄ２における一方側の端（界磁磁石２０１側の端）と、ストッパ部材３２１の配置方向Ｄ２における他方側の一端（界磁磁石２０３側の端）との間の、配置方向Ｄ２における長さを長さＬ３２１と定義する。
【００８０】
界磁磁石２０１を移動させる所定量は、長さＬ１２から、長さＬ２０１〜Ｌ２０３の総和を減算した値以下であり、また長さＬ３２１は所定量以下である。これにより、構造的には、外部からの付勢によって、３つの界磁磁石２０１〜２０３が磁石格納部１２に格納された状態で界磁磁石２０１はストッパ部材３２１と対向しない位置まで移動できる（図７参照）。ただし、上述したように界磁磁石２０１は界磁磁石２０２によってこのような移動は防がれ、界磁磁石２０１はストッパ部材３２１と軸方向Ｄ１で対向する。なおこの磁石挿通孔３４及びストッパ部材３２１，３２２の幾何学的な関係は、後述する他の磁石挿通孔３４とストッパ部材３２１，３２２においても適用可能である。
【００８１】
ストッパ部材３２２は界磁磁石２０２と軸方向Ｄ１で対向する。界磁磁石２０２は界磁磁石２０１，２０３の間で配置方向Ｄ２に移動し得るところ、ストッパ部材３２２は界磁磁石２０２が配置方向Ｄ２の移動可能な範囲のいずれに位置していても、界磁磁石２０２と軸方向Ｄ１で対向する。
【００８２】
磁石挿通孔３４はストッパ部材３２１，３２２の間に形成されている。換言するとストッパ部材３２１,３２２はそれぞれ磁石挿通孔３４の配置方向Ｄ２における両側の輪郭を形成している。
【００８３】
ストッパ部材３２３は、少なくとも界磁磁石２０３が配置方向Ｄ２の他方側の端、即ち他方側の端部１４に接した状態で界磁磁石２０３と軸方向Ｄ１で対向する。
【００８４】
連結部材３６はストッパ部材３２１〜３２３を互いに連結し、界磁子コア１０と固定される。これによって、ストッパ部材３２１〜３２３は軸方向Ｄ１の位置が固定され、それぞれ界磁磁石２０１〜２０３が界磁子コア１０から軸方向Ｄ１の一方側へと抜け出すことを防止できる。
【００８５】
なお、磁石挿通孔３４は連結部材３６に設けられていると把握してもよい。また磁石挿通孔３４は、配置方向Ｄ２の一方の端に位置する界磁磁石２０１が反発力に抗う方向に所定量、移動した状態で界磁磁石２０１が挿通可能に設けられている、とも把握できる。
【００８６】
＜界磁磁石の再利用（リサイクル）＞
上述した界磁子において、例えば加熱により界磁磁石２０１〜２０３を脱磁して残留磁束が小さな硬磁性体へと変化させる。これにより、脱磁後の界磁磁石２０１〜２０３（以下、硬磁性体２０１〜２０３と呼ぶ）の相互間、及び硬磁性体２０１〜２０３と界磁子コア１０との間にはほとんど磁力が作用しない。よって、硬磁性体２０１〜２０３は各磁石格納部１２の内部で配置方向Ｄ２に沿って小さい外力で移動する。
【００８７】
そして、図７に示すように磁石格納部１２の内部において硬磁性体２０１〜２０３を配置方向Ｄ２の最も他方側に移動させる。換言すれば、硬磁性体２０１を配置方向Ｄ２に沿って他方側へと所定量、移動させる。これは例えば界磁子を傾けて硬磁性体２０１〜２０３に作用する重力を配置方向Ｄ２へも作用させることで実現すればよい。
【００８８】
かかる状態で、図８に示すように、磁石挿通孔３４を介して硬磁性体２０１を磁石格納部１２から抜き出す。かかる抜き出しも例えば重力を利用して実現できる。そして抜き出した硬磁性体２０１を着磁することで再び界磁磁石２０１として利用することができる。
【００８９】
以上のように、本界磁子によれば、界磁子コア１０と磁石支持部材３０，４０との固定を毀損することなく、界磁磁石２０１を取り出して再利用することができる。
【００９０】
また界磁磁石２０２，２０３の軸方向Ｄ１に垂直な断面の輪郭が磁石挿通孔３４の断面の輪郭より小さいことが望ましい。図１〜８の例示では、界磁磁石２０２，２０３も磁石挿通孔３４と対向する位置まで移動できるので、硬磁性体２０２，２０３も磁石挿通孔３４を介して取り出すことができるからである。
【００９１】
界磁子を組み立てる場合には、上記手順と逆の手順を実行してもよい。例えば界磁子コア１０と磁石支持部材３０，４０とを固定する。そして、磁石挿通孔３４を介して（脱磁された、あるいは着磁前の）硬磁性体２０３，２０２，２０１をこの順で磁石格納部１２に格納する。そして、硬磁性体２０１〜２０３を公知の技術によって着磁する。これにより、界磁磁石２０１〜２０３には磁気的な反発力が作用し、両側の界磁磁石２０１，２０３はそれぞれ磁石格納部１２の両端で固定される。
【００９２】
なお、上記手順での組み立てに限らず、界磁磁石２０１〜２０３を磁石格納部１２に格納した上で、磁石支持部材３０を界磁子コア１０に固定しても構わない。
【００９３】
以下、本界磁子の変形例について適宜に図を参照して説明する。なお、冗長を避けるべく、重畳する説明は避ける。また、この磁石挿通孔３４及びストッパ部材３２１，３２２の幾何学的な関係は、後述する他の磁石挿通孔３４とストッパ部材３２１，３２２においても適用可能である。
【００９４】
＜界磁磁石部が有する界磁磁石の個数＞
図９に示すように、各界磁磁石部２０が有する界磁磁石の個数は２つであってもよい。例えば一の界磁磁石部２０が２つの界磁磁石２０１，２０２を備えている場合、磁気的な反発力によって界磁磁石２０１，２０２の一方は他方へと反対側に付勢される。よって、界磁磁石２０１，２０２は磁石格納部１２の内部において配置方向Ｄ２の両端で固定される。界磁子は配置方向Ｄ２で移動自由な界磁磁石（図１乃至８の界磁子における界磁磁石２０２）を有さないので、界磁磁石部２０の配置方向Ｄ２におけるがたつきを抑制できる。
【００９５】
なお以下に説明する界磁子においては、界磁磁石部２０が有する界磁磁石の個数として２個或いは３個を例示して説明する。但し、界磁磁石２０は複数の界磁磁石を有していればよく、２個であれば界磁磁石のがたつきを抑制できる。また２個であれば、磁石支持部材３０にはストッパ部材３２１，３２２が設けられ、当然ストッパ部材３２３は設けられない。磁石挿通孔３４は図１〜８と同様にストッパ部材３２１，３２２の間に設けられる。これらの点は、説明の重畳を避けるため、以下では言及しない。
【００９６】
＜ストッパ部材の材質＞
ストッパ部材３２１〜３２３は非磁性体であってもよい。これにより、界磁磁石２０１〜２０３の外周側の磁極面と内周側の磁極面とを結ぶ経路であって、ストッパ部材３２１〜３２３を介した経路の磁気抵抗を高めることができる。よって、ストッパ部材３２１〜３２３を介した外周側の磁極面と内周側の磁極面との間で磁束が短絡することを抑制できる。同様に、連結部材３６も非磁性体であれば、連結部材３６を介した上記磁束の短絡も抑制できる。
【００９７】
＜ストッパ部材の形状＞
図１０の例示では、ストッパ部材３２１〜３２３は垂直方向Ｄ３において一方側のみ（ここでは外周側）でそれぞれ界磁磁石２０１〜２０３とそれぞれ対向している。換言すると、ストッパ部材３２１〜３２３はそれぞれ垂直方向Ｄ３の他方側（ここでは内周側）の連結部材３６と空隙を介して対向している、とも把握できる。
【００９８】
図１０の例示では、ストッパ部材３２１は界磁磁石２０１の配置方向Ｄ２の一方側かつ垂直方向Ｄ３の一方側の角に位置して、四角形状の形状を有している。ストッパ部材３２２，３２３は配置方向Ｄ２で相互に連結され、界磁磁石２０２，２０３の垂直方向Ｄ３における一方側に位置して、長方形状の形状を有している。
【００９９】
ストッパ部材３２１〜３２３が垂直方向Ｄ３の一方側のみに設けられているので、界磁磁石２０１〜２０３の外周側の磁極面と内周側の磁極面とを結ぶ経路であって、ストッパ部材３２１〜３２３を介した経路における磁気抵抗を高めることができる。なぜなら当該経路において非磁性たる空隙が介在するからである。よって、各界磁磁石２０１〜２０３の磁極面同士の短絡を抑制することができる。
【０１００】
また図１０の例示では、ストッパ部材３２１〜３２３は垂直方向Ｄ３において外周側のみでそれぞれ界磁磁石２０１〜２０３と対向している。本界磁子が回転軸Ｐの周りで回転する回転子として機能すれば、遠心力によって界磁磁石２０１〜２０３は外周側へと付勢される。よって、外周側のみにストッパ部材３２１〜３２３を設けることで、ストッパ部材３２１〜３２３の配置方向Ｄ２における長さを低減してもよく、これにより磁石支持部材３０の材料費を低減できる。
【０１０１】
図１１の例示では、ストッパ部材３２２はストッパ部材３２３とも配置方向Ｄ２で離間している。ストッパ部材３２２は配置方向Ｄ２における長さが垂直方向Ｄ３における長さよりも短い薄肉形状を有している。ストッパ部材３２２は垂直方向Ｄ３における両端で連結部材３６と連結されている。ここで薄肉形状とは、垂直方向Ｄ３に流れる磁束に起因してストッパ部材３２２が容易に磁気飽和する程度に、配置方向Ｄ２における長さが短い形状をいう。これにより、ストッパ部材３２２を介した界磁磁石２０２の磁極面同士の短絡を抑制できる。また、ストッパ部材３２２は垂直方向Ｄ３の両端で連結部材３６と連結しているので、ストッパ部材３２２の強度を向上できる。
【０１０２】
また図１１の例示では、界磁子コア１０が有する空隙１２１と軸方向Ｄ１で連続する空隙３４１が磁石支持部材３０に穿たれている。空隙３４１は例えば空隙１２１と同じ形状を有している。空隙３４１が穿たれるべき位置に空隙３４１が穿たれず、当該位置に磁性体の連結部材３６が存する場合であれば、かかる領域を介して界磁磁石２０１，２０３各々の外周側の磁極面と内周側の磁極面との間で磁束が短絡し得る。空隙３４１によってかかる磁束の短絡を抑制できる。
【０１０３】
また図１１の例示では、ストッパ部材３２３は界磁磁石２０３の配置方向Ｄ２における他方側の端に設けられている。そして、ストッパ部材３２２，３２３の間にも孔が介在する。界磁磁石２０３が配置方向Ｄ２の一方側へと所定量、移動した状態で界磁磁石２０３が軸方向Ｄ１に沿って当該孔を挿通可能であってもよい。これにより、脱磁した界磁磁石２０３を当該孔から抜き出すことができる。
【０１０４】
図１２，１３の例示では、界磁磁石部２０が２つの界磁磁石２０１，２０２を備えている。なお図１２では、一の界磁磁石部２０のみを、界磁子コア１０から飛び出して示している。磁石支持部材３０はストッパ部材３２１，３２２を備えている。
【０１０５】
ストッパ部材３２１は界磁磁石２０１の配置方向Ｄ２における一方側の端に設けられ、ストッパ部材３２２は界磁磁石２０２の配置方向Ｄ２における他方側の端に設けられている。そして、軸方向から見た磁石挿通孔３４の輪郭は、配置方向Ｄ２に沿って互いに接して並べた界磁磁石２０１，２０２の一組の輪郭よりも広い。
【０１０６】
これにより、例えば磁石挿通孔３４を介して硬磁性体２０１，２０２を同時に磁石格納部１２に格納できる。よって、界磁子の組み立ての作業性を向上できる。
【０１０７】
図１４の例示では、２つのストッパ部材３２１が界磁磁石２０１と軸方向Ｄ１で対向する。２つのストッパ部材３２１は例えば界磁磁石２０１の配置方向Ｄ２における一方の端に設けられている。２つのストッパ部材３２１は垂直方向Ｄ３で相互に離間している。外周側のストッパ部材３２１は外周側の連結部材３６と連結され、内周側のストッパ部材３２２は内周側の連結部材３６と連結される。
【０１０８】
この２つのストッパ部材３２１の間には空隙が介在するので、この２つのストッパ部材３２１を介した界磁磁石２０１の一対の磁極面同士の磁束の短絡を抑制できる。また、垂直方向Ｄ３の一方側でのみ１つのストッパ部材３２１が界磁磁石２０１と対向する場合に比べて、界磁磁石２０１を支持する力を向上できる。
【０１０９】
図１４の例示では、２つのストッパ部材３２２が界磁磁石２０２と軸方向Ｄ１で対向する。２つのストッパ部材３２２の構成、相互の配置関係についてもストッパ部材３２１と同様であるので説明を省略する。
【０１１０】
図１５の例示では、ストッパ部材３２１，３２２は図１１のストッパ部材３２２と同様に、配置方向Ｄ２における長さが垂直方向Ｄ３における長さよりも短い薄肉形状を有している。また図１１のストッパ部材３２２と同様に、垂直方向Ｄ３におけるストッパ部材３２１の両端でストッパ部材３２１と連結部材３６とが相互に連結され、同じく垂直方向Ｄ３におけるストッパ部材３２２の両端でストッパ部材３２２と連結部材３６とが相互に連結される。奏功する効果は図１１のストッパ部材３２２と同様である。なお図１５のストッパ部材３２１，３２２は図１４の２つストッパ部材３２１及び２つのストッパ部材３２２をそれぞれ垂直方向Ｄ３で繋げたものとみることもできる。磁石支持部材３０は非磁性体であることが望ましい。または、磁石支持部材３０が磁性体である場合は、ストッパ部材３２１，３２２の幅は容易に磁気飽和する程度の小さいことが望ましい。ストッパ部材３２１，３２２を磁束が短絡しないようにするためである。
【０１１１】
図１６の例示では、図１５のストッパ部材３２１，３２２の形状と同様の薄肉形状を有した部分が示されているが、これは界磁磁石２０１，２０２と軸方向Ｄ１で対向していない部分である。上記部分は空隙３４１と磁石挿通孔３４との間の連結部材３６であって、これにより磁石支持部材３０の強度向上を企図している。もちろん、かかる部分を界磁磁石２０１，２０２と軸方向Ｄ１で対向させてストッパ部材３２１，３２２として機能させてもよく、かかる一例が後述する図１７に示される。
【０１１２】
図１６の例示では、ストッパ部材３２１は界磁磁石２０１の配置方向Ｄ２の一方側かつ垂直方向Ｄ３の一方側の角で対向する略三角形状の形状を有している。かかるストッパ部材３２１，３２２は例えば磁石挿通孔３４をＣ面取りすることで形成できる。ストッパ部材３２２はストッパ部材３２１と同様の形状を有し界磁磁石２０２と対向する。換言すれば、ストッパ部材３２１，３２２は配置方向Ｄ２及び垂直方向Ｄ３を法線とする２面（軸方向Ｄ１に沿って見た平面視上では二辺）で連結部材３６に連結される。よって、ストッパ部材３２１，３２２が一面（上記平面視上では一辺）で連結部材３６と連結される構造（後述する図１８を参照）に比してストッパ部材３２１，３２２の強度を向上できる。なお、形状や二面で連結部材３６に連結される点は図１０，１１などのストッパ部材３２１，３２２についても同様である。
【０１１３】
図１７の例示では、空隙３４１と磁石挿通孔３４との間に介在する部分の一部がストッパ部材３２１，３２２として機能する。当該部分は図１５のストッパ部材３２１，３２２をそれぞれ磁石挿通孔３４とは反対側に広げたものとみることができる。この広げた部分は界磁磁石２０１，２０２とは対向しないので、連結部材３６として把握される。かかる構造であれば、界磁磁石２０１，２０２とそれぞれ対抗するストッパ部材３２１，３２２は、垂直方向Ｄ３における両端のみならず、配置方向Ｄ２の一端においても連結部材３６に連結されるので強度を向上できる。
【０１１４】
図１８の例示では、ストッパ部材３２１，３２２がそれぞれ垂直方向Ｄ３の一端のみで連結部材３６に連結されている。また例えばストッパ部材３２１，３２２は四角形状を有し、そのうちの１面（上記平面視上では一辺）のみで連結部材３６と連結されている。かかる場合であっても、界磁磁石２０１，２０２の外周側の磁極面と内周側の磁極面とがストッパ部材３２１，３２２を介して短絡することを抑制できる。
【０１１５】
なお、上述した各図では、界磁子コア１０として図２〜４の界磁子コア１０のいずれかが示されているが、各図で例示される磁石支持部材３０と界磁子コア１０との組み合わせはこれに限らず任意である。
【０１１６】
＜界磁磁石の形状、配置と磁石支持部材＞
図１９の例示では、界磁子コア１０及び界磁磁石２０１，２０２の形状が上述した態様と相違している。界磁磁石２０１，２０２の各々は配置方向Ｄ２の両端において内周側へと突出する突部形状を有している。換言すれば、界磁磁石２０１，２０２の各々は、軸方向Ｄ１に沿って見て、例えば回転軸Ｐ側に開口する凹形状を有している。界磁磁石２０１，２０２について、突出していない部分（外周側に凹んだ部分）の内周側の表面をそれぞれ表面２０１１，２０１２と呼ぶ。
【０１１７】
磁石格納部１２は界磁磁石２０１，２０２の形状に合わせて内周側で開口する２つの凹部１２２，１２３を有している。凹部１２２，１２３はそれぞれ連結部材３６の突出によって形成される。
【０１１８】
凹部１２２，１２３の配置方向Ｄ２における長さは、それぞれ表面２０１１，２０１２の配置方向Ｄ２における長さに比べて短い。かかる幾何学的な関係により、凹部１２２，１２３はそれぞれ界磁磁石２０１，２０２の配置方向Ｄ２における移動を制限するストッパとして機能することができる。例えば界磁磁石２０１の配置方向Ｄ２における移動は、配置方向Ｄ２の一端側で突出する突部が凹部１２２に接する状態から他端側で突出する突部が凹部１２２に接する状態までの範囲内に制限される。界磁磁石２０２についても同様に移動が制限される。従って、界磁磁石部２０の両端に設けられる端部１４は必ずしも必要ではない。但し図１９においては端部１４も示されている。
【０１１９】
図２０の例示では、磁石支持部材３０はストッパ部材３２１，３２２を除いて図１９の界磁子コア１０と略同一形状を有している。ストッパ部材３２１，３２２はそれぞれ図１１のストッパ部材３２１，３２２と同じ形状であって同じ位置に設けられている。もちろん図１４乃至図１７のストッパ部材３２１，３２２と同じ形状であって同じ位置に設けられていてもよい。
【０１２０】
なお、図１９を参照して、界磁磁石２０１，２０２の移動可能範囲は互いに重複していない。よって図６の磁石支持部材３０を図１９の界磁磁石２０１，２０２が格納された界磁子コア１０に取り付けた場合、脱磁後の界磁磁石２０１のみを抜き出すことができる。界磁磁石２０１，２０２の両方を磁石挿通孔３４から抜き出すためには、磁石挿通孔３４は、界磁磁石２０２を界磁磁石２０１側に所定量、移動させた状態で界磁磁石２０２が挿通可能であるとよい。即ち、界磁磁石２０１，２０２を互いに最も近づく位置に移動させた状態で、軸方向Ｄ１に沿って見たこれらの一組の輪郭よりも、磁石挿通孔３４の輪郭が広ければよい。またこの状態で軸方向Ｄ１に沿ってみた界磁磁石２０１，２０２の各々の輪郭よりも広い輪郭を有する別個の磁石挿通孔３４が設けられてもよい。
【０１２１】
図２１，２２の例示では、界磁磁石２０１は、配置方向Ｄ２の一方側（界磁磁石２０２とは反対側）へと向かうに従って垂直方向Ｄ３の寸法が小さくなる傾斜形状を有している。同様に界磁磁石２０２も配置方向Ｄ２の他方側へと向かうに従って垂直方向Ｄ３の寸法が小さくなる傾斜形状を有している。磁石格納部１２は界磁磁石２０１，２０２が格納される位置でそれぞれ上記傾斜形状に沿った傾斜形状を有している。
【０１２２】
界磁磁石２０１，２０２には磁気的な反発力が作用するので界磁磁石２０１，２０２はそれぞれ互いに反対側へと付勢される。よって、界磁磁石２０１，２０２はそれぞれ傾斜面にて磁石格納部１２に押し付けられるので、界磁磁石２０１，２０２を界磁子コア１０に密着させることができる。よって、界磁磁石２０１，２０２の磁極面と界磁子コア１０との間の間隙を低減でき、ひいては界磁磁束の低下を抑制できる。またかかる密着によって回転軸Ｐに垂直な面における界磁磁石２０１，２０２の位置を固定できる。換言すれば、磁石格納部１２の傾斜面が界磁磁石２０１，２０２の配置方向Ｄ２における移動を制限する。よって、例えば図２２に示された段差形状の端部１４は必ずしも必要ではない。
【０１２３】
また磁石格納部１２の配置方向Ｄ２における中央から両端までの長さは、それぞれ界磁磁石２０１，２０２の配置方向Ｄ２における長さよりも長い。よって、界磁磁石２０１，２０２は配置方向Ｄ２で所定量、移動可能である。
【０１２４】
図２１，２２の例示では、磁石支持部材３０はストッパ部材３２１，３２２を除いて界磁子コア１０と略同一形状を有している。ストッパ部材３２１，３２２はそれぞれ図１１のストッパ部材３２１，３２２と同じ形状であって同じ位置に設けられている。もちろん図１４乃至図１７のストッパ部材３２１，３２２と同じ形状であって同じ位置に設けられていてもよい。
【０１２５】
なお、磁石格納部１２の垂直方向Ｄ３における寸法は、配置方向Ｄ２における中央から両側に向かうに従って小さくなるので、界磁磁石２０２は磁石格納部１２の中央から一方側にはあまり移動できない。図２１，２２の例示では、軸方向Ｄ１に沿って見た磁石挿通孔３４の輪郭は、界磁磁石２０１，２０２を互いに最も近づけた状態での界磁磁石２０１，２０２の一組の輪郭より大きい。これにより、脱磁後の界磁磁石２０１，２０２の両方を抜き出すことができる。なお、界磁磁石２０１，２０２の各々に対応する個別の磁石挿通孔３４が設けられてもよい。
【０１２６】
図２３の例示では、界磁磁石２０１，２０２の形状が図１乃至図１８で説明した界磁磁石の形状と同一であるものの、これらの配置が異なっている。軸方向Ｄ１に沿って見て界磁磁石２０１，２０２は外周側に広がる略Ｖ字形状に配置される。即ち配置方向Ｄ２もＶ字状に折れ曲がっているものと把握される。換言すれば配置方向Ｄ２は２つの方向Ｄ２１，Ｄ２２を含んでいる。方向Ｄ２１は界磁磁石２０１における配置方向であって、方向Ｄ２２は界磁磁石２０２における配置方向である。
【０１２７】
磁石格納部１２は界磁磁石２０１，２０２の配置に合わせてＶ字形状を有している。界磁磁石２０１が格納される部分の方向Ｄ２１における長さは界磁磁石２０１の方向Ｄ２１における長さよりも長い。同様に界磁磁石２０２が格納される部分の方向Ｄ２２における長さは界磁磁石２０２の方向Ｄ２２における長さよりも長い。よって、磁石格納部１２は界磁磁石２０１，２０２がそれぞれ方向Ｄ２１，Ｄ２２に沿って移動可能な形状を有している。かかる界磁子においても、界磁磁石２０１，２０２は反発し合うので、界磁磁石２０１は方向Ｄ２１の外周側の端で、界磁磁石２０２は方向Ｄ２２の外周側の端でそれぞれ方向Ｄ２１，Ｄ２２における位置が固定される。
【０１２８】
図２３の例示では、磁石支持部材３０は、ストッパ部材３２１，３２２を除いて界磁子コア１０と同じ形状を有している。ストッパ部材３２１，３２２は図１６のストッパ部材３２１，３２２と同一形状を有しているが、図１４乃至図１５、図１７及び図１８のいずれかのストッパ部材３２１，３２２であってよい。またストッパ部材３２１，３２２は界磁磁石２０１，２０２の外周側の端でそれぞれ界磁磁石２０１，２０２と対向する。
【０１２９】
磁石挿通孔３４は磁石格納部１２と略同一形状を有しているがこれに限らず、要するに次の要件を満たせばよい。即ち、軸方向Ｄ１から見た磁石挿通孔３４の輪郭が、軸方向Ｄ１から見た界磁磁石２０１の輪郭よりも広い。そして、磁石挿通孔３４は界磁磁石２０１が方向Ｄ２１に沿って磁石格納部１２の中央へと所定量、移動した状態で、界磁磁石２０１が挿通可能な位置に設けられる。所定量はストッパ部材３２１の方向Ｄ２１における長さよりも長い。これにより、磁石挿通孔３４を介して脱磁した界磁磁石２０１を抜き出すことができる。
【０１３０】
また、磁石格納部１２もＶ次形状を有していることから、界磁磁石２０２は磁石格納部１２内を移動して界磁磁石２０１側へと移動することはできない。図２３の例示では、軸方向Ｄ１に沿って見た磁石挿通孔３４の輪郭は、界磁磁石２０１，２０２を互いに最も近い位置に移動させた状態でのこれらの一組の輪郭よりも大きい。よって、界磁磁石２０１と同様に脱磁後の界磁磁石２０２も抜き出すことができる。なお、界磁磁石２０１，２０２を互いに最も近い位置に移動させた状態で軸方向Ｄ１に沿って見た界磁磁石２０１，２０２の各々の輪郭よりも大きい輪郭を有する、互いに分離された一対の磁石挿通孔３４が設けられてもよい。このような磁石挿通孔の輪郭と界磁磁石の輪郭との関係は、後述する他のＶ次形状であっても同様である。
【０１３１】
図２４の例示では、界磁磁石２０１，２０２が内周側に広がるＶ字状に配置されている点で図２３の界磁子とは相違する。またストッパ部材３２１，３２２が図１１のストッパ部材３２１，３２２と同様の形状が示されているものの、上述した他のストッパ部材であってもよい。
【０１３２】
図２５の例示では、界磁磁石２０１，２０２は湾曲している。具体的には、軸方向Ｄ１から見て帯状かつ弧状の形状を有しており、これが軸方向Ｄ１に延在した形状を有している。そして界磁磁石２０１，２０２は外周側で広がるように弧状に並んで配置される。磁石格納部１２も界磁磁石２０１，２０２の形状及び配置に合わせて弧状に設けられている。
【０１３３】
図２５の例示では、磁石支持部材３０はストッパ部材３２１，３２２を除いて界磁子コア１０と同一である。ストッパ部材３２１，３２２は図９或いは図１７のストッパ部材３２１に相当する形状を有している。もちろん、上述した他のストッパ部材に相当するものであってもよい。
【０１３４】
なおここでは、界磁磁石２０１の円弧と界磁磁石２０２の円弧とが所定の一つの円上に沿うように配置されている。よって、界磁磁石２０１，２０２についての配置方向Ｄ２とは当該一つの円に沿う周方向である。かかる構造では、界磁磁石２０１が格納されていない状態で、界磁磁石２０２は磁石格納部１２の配置方向Ｄ２における端から端へと移動できる。従って、ストッパ部材３２１，３２２として例えば図６，９，１０に示したストッパ部材に相当するものを採用しても、脱磁後の界磁磁石２０１，２０２の両方を磁石挿通孔３４から抜き出すことができる。
【０１３５】
図２６の界磁子は、界磁磁石２０１，２０２が内周側に広がるように弧状に並んで配置されている点を除いて図２５の界磁子と同じである。
【０１３６】
図２７の例示では、電機子の外周側に配置されるタイプの界磁子が示されている。かかる界磁子が回転子として機能する場合、いわゆるアウターロータと呼ばれるものである。なお、これまでに述べた界磁子は電機子の内周側に配置されるタイプの界磁子であって、界磁子が回転子として機能する場合、いわゆるインナーロータと呼ばれるものである。
【０１３７】
図２７の界磁子コア１０は、空隙１２１の形状と界磁子コア１０の内径及び外径のサイズを除いて図１の界磁子コア１０と同一である。界磁子の内周側に電機子が配されるため、その空間を確保すべく、界磁子コア１０の内径及び外径は比較的大きく形成される。空隙１２１は界磁磁石部２０の配置方向Ｄ２における両端から周方向で界磁磁石部２０とは反対側に延在し、続けて径方向に沿って内周側へと延在している。
【０１３８】
図２７の例示では、磁石支持部材３０はストッパ部材３２１，３２２を除いて界磁子コア１０と同じ形状を有している。但し、ストッパ部材３２１，３２２は上述した他のストッパ部材のいずれに相当するものが採用されてもよい。界磁磁石２０１が格納されていない状態で界磁磁石２０２は磁石格納部１２の配置方向Ｄ２における端から端へと移動できるので、ストッパ部材３２１，３２２として例えば図６，９，１０に示したストッパ部材に相当するものを採用しても、脱磁後の界磁磁石２０１，２０２の両方を磁石挿通孔３４から抜き出すことができる。
【０１３９】
図２８の例示では、電機子が内周側に配置されるタイプの界磁子であって、界磁磁石２０１，２０２がＶ字状に配置された界磁子が示されている。かかる界磁子は図２４の界磁子と、その内径及び外径のサイズを除いて同一であり、ストッパ部材についてのバリエーションも同様である。
【０１４０】
図２９の例示では、電機子が内周側に配置されるタイプの界磁子であって、界磁磁石２０１，２０２が弧状に配置された界磁子が示されている。かかる界磁子はその内径及び外径のサイズと界磁磁石２０１，２０２の位置とを除いて図２６の界磁子と同一である。図３２の界磁子においては、界磁磁石２０１，２０２がより内周側に配置される。ストッパ部材についてのバリエーションも同様である。
【０１４１】
＜磁石格納部１２＞
図３０の界磁子コア１０は図１の界磁子コア１０に比して１つの磁石格納部１２が２つの孔１２５，１２６を有している。孔１２５，１２６の間には界磁子コア１０の一部が介在している。換言すると、界磁子コア１０には一つの磁石格納部１２として互いに離間した孔１２５，１２６が穿たれている。これにより、界磁子コア１０の強度を向上できる。特に、高速回転するモータに適用される。
【０１４２】
孔１２５，１２６にはそれぞれ界磁磁石２０１，２０２が格納されている。孔１２５の配置方向Ｄ２における長さは界磁磁石２０１の配置方向Ｄ２における長さよりも長い。同様に、孔１２６の配置方向Ｄ２における長さは界磁磁石２０２の配置方向Ｄ２における長さよりも長い。よって界磁磁石２０１，２０２はそれぞれ孔１２５，１２６の内部で配置方向Ｄ２に沿って移動可能である。但し、孔１２５，１２６は互いに離間しているので、界磁磁石２０１，２０２はそれぞれ孔１２６，１２５へと移動することはできない。換言すれば、界磁磁石２０１，２０２の移動範囲は互いに重複しない。
【０１４３】
界磁磁石２０１，２０２が外周側へと呈する磁極面の極性は互いに同一であるので、たとえ界磁磁石２０１，２０２の間に界磁子コア１０が介在していても、これらには反発力が作用する。よって、界磁磁石２０１，２０２は互いに反対側に付勢されて、その配置方向Ｄ２における位置がそれぞれ孔１２５，１２６の端で固定される。
【０１４４】
図３１の例示では、磁石支持部材３０は図１４の磁石支持部材３０と比して、磁石挿通孔３４が２つの孔３４ａ，３４ｂを有している点で相違する。孔３４ａ，３４ｂの間には連結部材３６の一部が介在している。換言すれば、磁石支持部材３０には互いに離間した孔３４ａ，３４ｂが穿たれている。軸方向Ｄ１から見た孔３４ａ，３４ｂの輪郭は、それぞれ軸方向Ｄ１から見た界磁磁石２０１，２０２の輪郭よりも広い。孔３４ａは、界磁磁石２０１を配置方向Ｄ２に沿って界磁磁石２０２側へと所定量、移動した状態で、界磁磁石２０１が挿通可能な位置に設けられる。孔３４ｂは界磁磁石２０２を配置方向Ｄ２に沿って界磁磁石２０１側へと所定量、移動した状態で、界磁磁石２０２が挿通可能な位置に設けられる。
【０１４５】
これにより、それぞれ孔３４ａ，３４ｂを介して脱磁した界磁磁石２０１，２０２を抜き出すことができる。以上のように、かかる界磁子であっても、界磁磁石２０１，２０２の両方を抜き出すことができる。
【０１４６】
なお孔３４ａ，３４ｂは互いに離間している必要はなく、例えば図１４の磁石支持部材３０をそのまま使用してもよい。但し、孔３４ａ，３４ｂの間に連結部材３６が介在していれば磁石支持部材３０の強度を向上できる。
【０１４７】
ストッパ部材３２１，３２２は図３１の例示に限らず、他のストッパ部材であっても構わない。また界磁磁石２０１，２０２の個数、形状、配置は上述したいずれであってもよい。
【０１４８】
＜磁石支持部材４０＞
図３２の例示では、磁石支持部材４０にも磁石挿通孔４４が穿たれている。磁石支持部材４０はストッパ部材４２１，４２２と連結部材４６とを備えており、これらの相互の位置関係はストッパ部材３２２，３２１及び連結部材３６と同様である。図３２の例示では、例えば図１１の磁石支持部材３０が界磁子コア１０に固定され、磁石支持部材４０としても図１１の磁石支持部材３０と同様の構成が採用されている。
【０１４９】
磁石挿通孔４４は界磁磁石２０１が配置方向Ｄ２に沿って所定量、移動した状態で、界磁磁石２０１が挿通可能であるので、磁石支持部材３０，４０のいずれからも脱磁後の界磁磁石２０１，２０２を抜き出すことができ、作業性を向上できる。なお、磁石支持部材３０として上述した磁石支持部材３０のいずれを採用してもよく、磁石支持部材４０としても上述した磁石支持部材３０のいずれを採用してもよく、その組み合わせも任意である。
【０１５０】
図３２の例示では、軸方向Ｄ１に沿って界磁磁石２０１，２０２が磁石支持部材３０、界磁子コア１０、磁石支持部材４０を通り抜けることができる。かかる界磁子において、磁石支持部材３０，４０を界磁子コア１０に固定した後に硬磁性体２０１，２０２を磁石格納部１２に格納しようとすると、硬磁性体２０１，２０２が磁石挿通孔３４，４４から抜け落ちてしまう可能性がある。
【０１５１】
そこで、図３３に示すように界磁子を組み立ててもよい。まずステップＳ１にて、磁石支持部材３０，４０を界磁子コア１０に固定する。次にステップＳ２にて、硬磁性体２０１，２０２を、界磁子としての磁力よりも低い磁力を発揮するように着磁する。かかる着磁を仮着磁と呼び、仮着磁後の硬磁性体２０１，２０２を磁石２０１，２０２と呼ぶ。次にステップＳ３にて、磁石２０１，２０２を磁石挿通孔３４或いは磁石挿通孔４４を介して磁石格納部１２へと配置する。仮着磁された磁石２０１，２０２はその磁力が弱いものの、界磁子コア１０との間で吸着力が生じる。よって、仮着磁された磁石２０１，２０２を磁石格納部１２に格納するに際して、これらが磁石挿通孔３４，４４から抜け落ちるのを防止できる。次に、ステップＳ４にて、磁石２０１，２０２を再び着磁して界磁子としての磁力を発揮させて界磁磁石２０１，２０２を形成する。
【０１５２】
なお仮着磁された磁力は弱いので、界磁磁石２０１，２０２の間で生じる反発力は、界磁磁石２０１，２０２を磁石格納部１２へと格納するに際してその格納を阻害しにくい。なお、仮着磁された磁石２０１，２０２は例えば外周側へと同じ磁極を向ける必要はなく、これらの磁極は任意である。ステップＳ４にて、外周側へと同じ磁極を向くように磁石２０１，２０２を着磁して界磁磁石２０１，２０２を形成すればよい。
【０１５３】
なお第１の実施の形態で述べた界磁子の変形例は後述する第２及び第３の実施の形態においても適用可能である。
【０１５４】
第２の実施の形態．
第２の実施の形態では、界磁磁石に作用する磁気的な反発力が垂直方向Ｄ３の一方側にも作用する。例えば図３４には、かかる界磁磁石２０１，２０２が示されている。
【０１５５】
例えば界磁磁石２０１の界磁磁石２０２側の端面２０１ｂと、界磁磁石２０２の界磁磁石２０１側の端面２０２ａとは、垂直方向Ｄ３に対して同じ側に傾斜している。図３４の例示では、界磁磁石２０１，２０２は軸方向Ｄ１に沿って見て台形形状を有している。界磁磁石２０１はその下底を外周側に向けて、界磁磁石２０２はその上底を外周側に向けてそれぞれ配置されている。これにより、界磁磁石２０１は垂直方向Ｄ３の外周側にも反発力が作用し、界磁磁石２０２は垂直方向Ｄ３の内周側にも反発力が作用する。
【０１５６】
従って、界磁磁石２０１，２０２はそれぞれ垂直方向Ｄ３で磁石格納部１２（界磁子コア１０）に押し付けられるため、垂直方向Ｄ３における界磁磁石２０１，２０２のがたつきを抑制できる。なお、界磁磁石２０１，２０２と界磁子コア１０との間の垂直方向Ｄ３における間隙は、通常、磁石厚み（垂直方向Ｄ３における厚み）とコアの打抜き寸法（垂直方向Ｄ３における磁石格納部２０の寸法）の公差を吸収できる程度に設定されるため、実際はきわめて小さく、図面ではデフォルメして描かれている。
【０１５７】
また図３４の例示では、ストッパ部材３２１，３２２は垂直方向Ｄ３において、それぞれ界磁磁石２０１，２０２が付勢される方向のみに設けられている。具体的には、ストッパ部材３２１は垂直方向Ｄ３において外周側のみ、ストッパ部材３２２は垂直方向Ｄ３における内周側のみにそれぞれ設けられている。このようにストッパ部材３２１，３２２は界磁磁石２０１，２０２が付勢されて界磁子コア１０と接触する側に設けられる。よって、垂直方向Ｄ３における長さを短くしても、ストッパ部材３２１，３２２は界磁磁石２０１，２０２と軸方向Ｄ１で確実に対向する。従って、磁石支持部材３０の材料費を低減できる。ただし、界磁子が回転子として機能する場合、遠心力は外周側へと働くので内周側に付勢される界磁磁石２０２に対向するストッパ部材３２２については、垂直方向Ｄ３における寸法を、ストッパ部材３２１と比べて大きく採ることが望ましい。
【０１５８】
また磁石挿通孔３４は、界磁磁石２０１が垂直方向Ｄ３の内周側に所定量、移動した状態で、界磁磁石２０１が軸方向Ｄ１に挿通可能な位置に設けられてもよい。以下、図３４を参照してその一例について述べる。
【０１５９】
まず、ストッパ部材３２１は垂直方向Ｄ３において界磁磁石２０１が付勢される側のみに設けられる。そして、磁石格納部１２の垂直方向Ｄ３における長さは、界磁磁石２０１の垂直方向Ｄ３における長さとストッパ部材３２１の垂直方向Ｄ３における長さとの和よりも長い。
【０１６０】
軸方向Ｄ１に沿って見た磁石挿通孔３４の輪郭は、軸方向Ｄ１に沿って見た界磁磁石２０１の輪郭よりも大きい。磁石挿通孔３４は、界磁磁石２０１が垂直方向Ｄ３に沿って内周側へと所定量、移動した状態で軸方向Ｄ１に沿って見て界磁磁石２０１を内部に含む位置に設けられている。この所定量はストッパ部材３２１の垂直方向Ｄ３における長さよりも長い。図３４の例示では、軸方向Ｄ１に沿って見た磁石挿通孔３４の輪郭は、ストッパ部材３２１，３２２を除いて磁石格納部１２と同一形状を有している。
【０１６１】
かかる界磁子によっても、界磁子コア１０と磁石支持部材３０との固定を毀損せずに界磁磁石２０１を次のように抜き出すことができる。まず界磁磁石２０１，２０２を脱磁して硬磁性体２０１，２０２とする。次に、図３５に示すように、硬磁性体２０１を垂直方向Ｄ３における内周側へと所定量、移動させる。次に、磁石挿通孔３４を介して硬磁性体２０１を抜き出す（図３６）。そして、硬磁性体２０１を再び着磁することによって、硬磁性体２０１を界磁磁石２０１として再利用することができる。
【０１６２】
図３４の例示では、磁石挿通孔３４は界磁磁石２０２が垂直方向Ｄ３の外周側へと所定量（ストッパ部材３２１の垂直方向Ｄ３の長さよりも長い）、移動した状態で、界磁磁石２０２が挿通可能である。この場合、図３６に示すように、脱磁した界磁磁石２０２を垂直方向Ｄ３の外周側へと所定量、移動させ、磁石挿通孔３４を介して脱磁した界磁磁石２０２を抜き出すことができる。これにより、界磁磁石２０１，２０２の両方を抜き出すことができる。またかかる界磁子によれば、界磁磁石２０２は界磁磁石２０１を抜き出す領域へと移動させる必要がないので、例えば図１９乃至図２４、図２８に示すように、界磁磁石２０１，２０２の移動可能範囲が重複しない、あるいは重複する領域が小さい場合であっても、脱磁後の界磁磁石２０１，２０２の両方を抜き出すことができる。
【０１６３】
なお、図３４の例示では界磁磁石２０２が界磁磁石２０１側へと移動可能であるので、脱磁した界磁磁石２０１を抜き出す位置と同じ位置で脱磁した界磁磁石２０２を磁石挿通孔３４から抜き出すことができる。よって、磁石挿通孔３４の輪郭は界磁磁石２０１の輪郭よりもわずかに大きい程度で足りる。
【０１６４】
また、第２の実施の形態においては要するに界磁磁石２０１，２０２に作用する反発力を垂直方向Ｄ３にも生じさせていればよく、界磁磁石２０１，２０２の形状及び配置は図３４に示す形状及び配置に限らない。
【０１６５】
例えば図３７に示すように、界磁磁石２０１の端面２０１ｂが垂直方向Ｄ３に沿っており、界磁磁石２０２の端面２０２ａが垂直方向Ｄ３に対して傾斜していてもよい。図３７の例示では、垂直方向Ｄ３の内周側に向かうに従って界磁磁石２０１，２０２の間の距離が短くなるように端面２０１ｂのみが傾斜している。この場合であっても、界磁磁石２０１には垂直方向Ｄ３の外周側にも反発力が生じ、界磁磁石２０２には垂直方向Ｄ３の内周側にも反発力が生じる。
【０１６６】
また例えば図３８及び図３９に示すように、端面２０１ｂ，２０２ａが垂直方向Ｄ３を軸として互いに反対側で互いに異なる角度、傾斜していてもよい。図３８の例示では、垂直方向Ｄ３に対する端面２０１ｂの傾斜角（但し９０度未満）が端面２０２ａの傾斜角に比べて小さい。換言すると、界磁磁石２０２は界磁磁石２０１に比べて尖っている。図３９の例示では、垂直方向Ｄ３に対する端面２０１ｂの傾斜角が端面２０２ａの傾斜角に比べて大きい。換言すると、界磁磁石２０１は界磁磁石２０２に比べて尖っている。これらの場合であっても、界磁磁石２０１には垂直方向Ｄ３の外周側にも反発力が生じ、界磁磁石２０２には垂直方向Ｄ３の内周側にも反発力が生じる。
【０１６７】
図３４〜図３９に示した界磁磁石２０１，２０２の形状と、その反発力が作用する方向について以下のように纏めることができる。すなわち、軸方向Ｄ１から見て、端面２０１ｂ，２０２ａで挟まれる角ｘの二等分線に略垂直で相互に反対の方向に界磁磁石２０１，２０２がそれぞれ付勢される。よって、かかる二等分線が垂直方向Ｄ３と傾斜していれば界磁磁石２０１，２０２に作用する反発力は垂直方向Ｄ３にも生じる。なお図３４〜図３９においてはかかる二等分線が二点鎖線で示されている。
【０１６８】
第３の実施の形態．
第３の実施の形態では、界磁磁石に作用する磁気的な反発力が軸方向Ｄ１の一方側にも作用する。
【０１６９】
例えば図４０に示すように、端面２０１ｂ，端面２０２ａは軸方向Ｄ１に対して同じ方向に傾斜している。界磁磁石２０１，２０２は垂直方向Ｄ３に沿って見て台形形状を有している。界磁磁石２０１はその下底を磁石支持部材３０側に向けて、界磁磁石２０２はその下底を磁石支持部材４０側に向けてそれぞれ配置されている。これにより、界磁磁石２０１には磁石支持部材３０側にも反発力が生じ、界磁磁石２０２には磁石支持部材４０側にも反発力が作用する。
【０１７０】
よって、界磁磁石２０２は磁石支持部材３０側でストッパ部材と対向していなくても、界磁磁石２０２が抜け出すことが抑制される。これに従い、磁石支持部材３０にはストッパ部材３２２が設けられていない。換言すると、磁石支持部材３０には界磁磁石２０２と対向する領域に孔が穿たれている。
【０１７１】
一方、磁石支持部材３０側に付勢される界磁磁石２０１に対してはストッパ部材３２１が設けられている。
【０１７２】
このような磁石支持部材３０としては例えば図１１の磁石支持部材３０のうちストッパ部材３２２を取り除いたものが採用される。
【０１７３】
以上のように、磁石支持部材３０には、磁石支持部材３０側に付勢される界磁磁石２０１についてのみストッパ部材３２１が設けられる。よって、磁石支持部材３０の材料費を低減することができる。
【０１７４】
なお界磁磁石２０１，２０２の形状は図４０に示す形状に限らない。図３７〜図３９を参照して説明したように、端面２０１ｂ，２０２ａで挟まれる角の二等分線が軸方向Ｄ１に対して傾斜していればよい。
【０１７５】
磁石支持部材４０としては第１の実施の形態で説明した磁石支持部材４０であってもよい。但し、図４０の例示では、磁石支持部材４０は磁石支持部材３０と同様に磁石挿通孔４４とストッパ部材４２２とを備えている。磁石挿通孔４４と連結部材４６とストッパ部材４２２の構成及び相互の配置関係は磁石挿通孔３４と連結部材３６とストッパ部材３２２の構成及び相互の配置関係と同様であるので詳細な説明を省略する。但し、界磁磁石２０１は軸方向Ｄ１において磁石支持部材３０側へと付勢されるので、磁石支持部材４０には界磁磁石２０１に対するストッパ部材は設けられていない。かかる磁石支持部材４０は例えば図１１の磁石支持部材３０のうちストッパ部材３２１を取り除いたものが採用される。よって、磁石支持部材４０の材料費を低減することができる。
【０１７６】
また、磁石挿通孔４４は界磁磁石２０２を配置方向Ｄ２に沿って界磁磁石２０１側に所定量、移動させた状態で、界磁磁石２０２を挿通可能である。よって、界磁磁石２０２について磁石挿通孔４４を介して抜き出すことができる。よって、磁石支持部材３０，４０のいずれからも脱磁後の界磁磁石２０１，２０２を抜き出すことができ、作業性を向上できる。
【０１７７】
図４１には界磁磁石部２０が４つの界磁磁石２０１〜２０４を備えた界磁子が例示されている。
【０１７８】
界磁磁石２０１〜２０４は配置方向Ｄ２に沿って一方側から他方側へとこの順で配置されている。
【０１７９】
界磁磁石２０２の端面２０２ａと、界磁磁石２０２に隣り合う界磁磁石２０１の端面２０１ｂとが垂直方向Ｄ３から見た側面視上で形成する角の二等分線は軸方向Ｄ１に対して一方側（ここでは紙面右側）に傾斜している。界磁磁石２０２の端面２０２と、隣り合う界磁磁石２０３の端面２０３との二等分線は軸方向Ｄ１に対して他方側（ここでは紙面左側）に傾斜している。よって、界磁磁石２０２には界磁磁石２０１による反発力が軸方向Ｄ１の一方側（ここでは紙面上側）へも作用し、界磁磁石２０３による反発力も軸方向Ｄ１の一方側に作用する。したがって、界磁子コア１０に対して軸方向Ｄ１の一方側に配置される磁石支持部材３０には、界磁磁石２０２に対するストッパ部材３２２が設けられる。一方、磁石支持部材４０には界磁磁石２０２に対するストッパ部材は設けられなくてもよい。
【０１８０】
端面２０２ａ，２０３ｂが垂直方向Ｄ３から見た側面視上で形成する角の二等分線が軸方向Ｄ１に対して他方側に傾斜しているので界磁磁石２０３には界磁磁石２０２による反発力が軸方向Ｄ１の一方側にも作用する。また界磁磁石２０３の端面２０３ａと、界磁磁石２０３に隣り合う界磁磁石２０４の端面２０４ｂとが垂直方向Ｄ３から見た側面視上で形成する角の二等分線は軸方向Ｄ１に対して他方側に傾斜している。よって界磁磁石２０３には界磁磁石２０４による反発力が軸方向Ｄ１の他方側にも作用する。以上のように、界磁磁石２０３には隣り合う界磁磁石２０２，２０４によって軸方向Ｄ１の互いに反対方向に反発力が作用する。従って、磁石支持部材３０，４０には界磁磁石２０３に対するストッパ部材３２３，４２３がそれぞれ設けられる。
【０１８１】
界磁磁石２０１，２０４については説明の重複になるため省略する。
【０１８２】
なお、第１乃至第３の実施の形態に鑑みて、ストッパ部材は、少なくとも、複数の界磁磁石の各々のうち、隣り合う界磁磁石によって磁気的な反発力が軸方向Ｄ１の他方側へと作用する磁石以外の磁石に対して、軸方向Ｄ１について一方側で対向する、と把握できる。また、磁石挿通孔は、複数の界磁磁石のうち配置方向の一方の端に位置する界磁磁石２０１が反発力に抗う方向に所定量、移動した状態で界磁磁石２０１が軸方向Ｄ１で挿通可能に設けられている、と把握できる。
【符号の説明】
【０１８３】
１０  界磁子
１２  磁石格納部
２０  界磁磁石部
２０１〜２０４  界磁磁石
３０，４０  磁石支持部材
３６  連結部
３２１〜３２４，４２１〜４２４  ストッパ部材
【図１】
2010284062.tif 000003
【図２】
2010284062.tif 000004
【図３】
2010284062.tif 000005
【図４】
2010284062.tif 000006
【図５】
2010284062.tif 000007
【図６】
2010284062.tif 000008
【図７】
2010284062.tif 000009
【図８】
2010284062.tif 000010
【図９】
2010284062.tif 000011
【図１０】
2010284062.tif 000012
【図１１】
2010284062.tif 000013
【図１２】
2010284062.tif 000014
【図１３】
2010284062.tif 000015
【図１４】
2010284062.tif 000016
【図１５】
2010284062.tif 000017
【図１６】
2010284062.tif 000018
【図１７】
2010284062.tif 000019
【図１８】
2010284062.tif 000020
【図１９】
2010284062.tif 000021
【図２０】
2010284062.tif 000022
【図２１】
2010284062.tif 000023
【図２２】
2010284062.tif 000024
【図２３】
2010284062.tif 000025
【図２４】
2010284062.tif 000026
【図２５】
2010284062.tif 000027
【図２６】
2010284062.tif 000028
【図２７】
2010284062.tif 000029
【図２８】
2010284062.tif 000030
【図２９】
2010284062.tif 000031
【図３０】
2010284062.tif 000032
【図３１】
2010284062.tif 000033
【図３２】
2010284062.tif 000034
【図３３】
2010284062.tif 000035
【図３４】
2010284062.tif 000036
【図３５】
2010284062.tif 000037
【図３６】
2010284062.tif 000038
【図３７】
2010284062.tif 000039
【図３８】
2010284062.tif 000040
【図３９】
2010284062.tif 000041
【図４０】
2010284062.tif 000042
【図４１】
2010284062.tif 000043